(57)【要約】【課題】ユーザが温泉地での入浴を疑似的に体験するときの浴室内の気温や湿度を適切に調整することで、当該疑似的な体験のリアル感を高めることができる浴室システムを提供する。【解決手段】浴室システム１は、浴室ＢＲ内の空調に関する運転を実行可能な空調装置３を備えており、この空調装置３の制御装置３２は、浴室ＢＲ内の室温及び湿度を、ユーザが指定した温泉地における当日又はその直前の実際の気温及び湿度に近づけるように、空調装置３の運転制御を行う。【選択図】図１
2019078414.tif 000002
【特許請求の範囲】
【請求項１】
浴室内の室温及び湿度の少なくとも一方の状態量から成る浴室内環境状態量を調整する機能を有する空調装置と、
ユーザが指定した温泉地を示す情報である温泉地指定情報を取得する温泉地指定情報取得部と、
前記温泉地指定情報により示される温泉地における当日又はその直前の実際の気温及び湿度のうち、前記浴室内環境状態量と同種の状態量の値を示す情報を少なくとも含む実環境情報を外部ネットワークを介して取得する実環境情報取得部と、
前記浴室内環境状態量の値を、前記実環境情報により示される値に近づけるように前記空調装置の運転制御を行う制御部とを備えることを特徴とする浴室システム。
【請求項２】
請求項１記載の浴室システムにおいて、
前記空調装置は、前記浴室内の風速を調整する機能をさらに有し、
前記実環境情報取得部が取得する前記実環境情報は、前記温泉地指定情報により示される温泉地における当日又はその直前の実際の風速を示す情報を含み、
前記制御部は、前記浴室内環境状態量の値を、前記実環境情報により示される値に近づけることに加えて、前記浴室内の風速を前記実環境情報により示される風速に近づけるように前記空調装置の運転制御を行うように構成されていることを特徴とする浴室システム。
【発明の詳細な説明】
【技術分野】
【０００１】
本発明は、浴室内の環境を制御するシステムに関する。
【背景技術】
【０００２】
従来、例えば特許文献１、２に見られるように、浴槽内の湯温、浴槽内の湯への入浴剤の配合、浴室内で表示させる映像、浴室内で発生させる音響等を、ユーザにより指定された温泉地に適合させて自動的に制御することで、ユーザが所望の温泉地での入浴を疑似的に体験し得るようにしたシステムが提案されている。
【先行技術文献】
【特許文献】
【０００３】
【特許文献１】特開２００７−２２９２９５号公報
【特許文献２】特開２００４−３０１３７８号公報
【発明の概要】
【発明が解決しようとする課題】
【０００４】
ところで、実際の温泉地で露天風呂等に入浴した場合、風呂の湯の状態や周辺の景色、音響状態以外にも、入浴時における風呂の周辺の実際の気温、湿度等の環境状態が、入浴者が受ける印象に大きな影響を及ぼすと考えられる。
【０００５】
このため、ユーザが自宅等の浴室で疑似的な温泉入浴を体験する場合、リアル感を極力高める上では、浴室内の室温、湿度等の環境状態を、温泉地における現実の環境状態に、極力近い状態にすることが望ましいと考えられる。
【０００６】
しかしながら、前記特許文献１，２に見られるシステムでは、浴室内の空調は行われるものの、該空調は、温泉地での風呂の周辺の実際の気温や湿度を考慮して行われるものではない。このため、前記特許文献１，２に見られるシステムでは、ユーザの入浴時における浴室内の温度や湿度が、実際の温泉地における現実の気温や湿度と乖離したものとなりやすい。
【０００７】
本発明はかかる背景に鑑みてなされたものであり、ユーザが温泉地での入浴を疑似的に体験するときの浴室内の気温や湿度を適切に調整することで、当該疑似的な体験のリアル感を高めることができる浴室システムを提供することを目的とする。
【課題を解決するための手段】
【０００８】
本発明の浴室システムは、上記の目的を達成するために、浴室内の室温及び湿度の少なくとも一方の状態量から成る浴室内環境状態量を調整する機能を有する空調装置と、
ユーザが指定した温泉地を示す情報である温泉地指定情報を取得する温泉地指定情報取得部と、
前記温泉地指定情報により示される温泉地における当日又はその直前の実際の気温及び湿度のうち、前記浴室内環境状態量と同種の状態量の値を示す情報を少なくとも含む実環境情報を外部ネットワークを介して取得する実環境情報取得部と、
前記浴室内環境状態量の値を、前記実環境情報により示される値に近づけるように前記空調装置の運転制御を行う制御部とを備えることを特徴とする。
【０００９】
なお、本発明において、前記「当日」というのは、前記ユーザが浴室で入浴を行う当日を意味する。
【００１０】
かかる本発明によれば、ユーザが入浴を行う浴室内の室温及び湿度の一方又は両方が、ユーザが指定した温泉地における当日又はその直前の実際の気温及び湿度に近いものとなるように空調装置の運転制御が行われる。このため、ユーザは、実際の温泉地に現実に所在しているような感覚で入浴を行うことができる。
【００１１】
よって、本発明によれば、ユーザが温泉地での入浴を疑似的に体験することのリアル感を高めることができる。
【００１２】
また、本発明では、前記空調装置は、前記浴室内の風速を調整する機能をさらに有し、前記実環境情報取得部が取得する前記実環境情報は、前記温泉地指定情報により示される温泉地における当日又はその直前の実際の風速を示す情報を含み、前記制御部は、前記浴室内環境状態量の値を、前記実環境情報により示される値に近づけることに加えて、前記浴室内の風速を前記実環境情報により示される風速に近づけるように前記空調装置の運転制御を行うように構成されていることが好ましい。
【００１３】
これによれば、ユーザが入浴を行う浴室内の室温及び湿度の一方又は両方に加えて、浴室内の風速が、ユーザが指定した温泉地における当日又はその直前の実際の風速に近いものとなるように空調装置の運転制御が行われる。
【００１４】
このため、ユーザが温泉地での入浴を疑似的に体験することのリアル感をより一層高めることができる。
【図面の簡単な説明】
【００１５】
【図１】本発明の実施形態の浴室システムの全体構成を示す図。
【図２】実施形態の浴室システムに備えた浴室リモコンの機能的構成を示すブロック図。
【図３】実施形態の浴室システムに備えた台所リモコンの機能的構成を示すブロック図。
【発明を実施するための形態】
【００１６】
本発明の一実施形態を図１〜図３を参照して以下に説明する。図１に示すように、本実施形態の浴室システム１は、任意の住戸Ｈに備えられたシステムである。該浴室システム１は、住戸Ｈの浴室ＢＲ内の浴槽ＢＴへの湯はりを行う湯はり運転等の風呂運転と、浴室ＢＲ、台所等の給湯対象箇所（カラン、シャワー等が配置された箇所）への給湯を行う給湯運転とを実行可能な風呂給湯装置２と、浴室ＢＲ内の空調に係る種々の運転（冷房運転、暖房運転等）を実行可能な空調装置３とを備える。
【００１７】
なお、風呂給湯装置２が実行する風呂運転には、湯はり運転のほか、浴槽ＢＴ内の湯水の追い焚きを行う追い焚き運転、浴槽ＢＴへの足し湯を行う足し湯運転、浴槽ＢＴ内の湯水の保温を行う保温運転等が含まれ得る。
【００１８】
風呂給湯装置２は、湯水の加熱を行う熱源機１０と、熱源機１０の作動制御等を行う機能を有する制御装置１１と、風呂給湯装置２の運転操作用のリモコン１２，１３と、種々の映像を表示可能な映像表示器１４とを含む。
【００１９】
映像表示器１４は、液晶ディスプレイ、有機ＥＬディスプレイ等により構成され、浴室ＢＲに設置されている。なお、映像表示器１４は、テレビ受像機の機能を含んでいてもよい。また、映像表示器１４は、浴槽ＢＴの壁面等に映像を投影するプロジェクタにより構成されていてもよい。
【００２０】
熱源機１０は、本実施形態では、湯水を加熱するために、図示を省略するバーナ及び熱交換器を内蔵した公知の構成の燃焼式の熱源機であり、水道水等の給湯用水を熱源機１０に導入するための給水配管１５と、加熱した給湯用水を浴室ＢＲ、台所等の給湯対象箇所に供給するための給湯配管１６と、加熱した給湯用水を浴槽ＢＴに供給したり、浴槽ＢＴ内の湯水を浴槽ＢＴとの間で循環させるための浴槽配管１７とが接続されている。
【００２１】
この熱源機１０は、給湯運転時には、給水配管１５から供給される給湯用水をバーナの燃焼熱により熱交換器を介して加熱し、加熱した給湯用水（湯）を給湯配管１６を介して給湯対象箇所に供給する。また、湯はり運転時、あるいは足し湯運転時には、熱源機１０は、給水配管１５から供給される給湯用水をバーナの燃焼熱により熱交換器を介して加熱し、加熱した給湯用水（湯）を浴槽配管１７を介して浴槽ＢＴに供給する。また、追い焚き運転時、あるいは保温運転時には、熱源機１０は、浴槽ＢＴ内の湯水を浴槽配管１７を介して循環させつつ、該湯水をバーナの燃焼熱により熱交換器を介して加熱する。
【００２２】
制御装置１１は、マイコン、メモリ、インターフェース回路等を含む電子回路ユニットにより構成され、熱源機１０に搭載されている。該制御装置１１（以降、風呂給湯制御装置１１という）は、リモコン１２，１３及び後述する空調制御装置３２（空調装置３の制御装置３２）のそれぞれとの間で相互に通信し得るように、リモコン１２，１３及び空調制御装置３２のそれぞれに有線接続されていると共に、映像表示器１４に表示させる映像情報を該映像表示器１４に送信し得るように該映像表示器１４に有線接続されている。
【００２３】
なお、風呂給湯制御装置１１と、リモコン１２，１３及び空調制御装置３２のそれぞれとの間の通信方式は、有線通信に限らず、Wi-Fi（登録商標）もしくはBluetooth（登録商標）等の無線通信方式であってもよい。
【００２４】
そして、風呂給湯制御装置１１は、実装されたハードウェア構成及びプログラム（ソフトウェア構成）により実現される機能として、前記給湯運転及び風呂運転に係る熱源機１０の作動制御（熱源機１０に搭載されている種々の制御機器の作動制御）を行う機能、リモコン１２，１３及び空調制御装置３２と通信を行う機能、映像表示器１４で表示させる映像情報を該映像表示器１４に送信する機能、種々の演算処理を実行する機能等を有する。この場合、風呂給湯制御装置１１は、空調制御装置３２との通信を行うことで、空調装置３の作動を間接的に制御することも可能である。
【００２５】
また、本実施形態では、風呂給湯制御装置１１は、その動作モードとして、浴室ＢＲで入浴するユーザに、該ユーザが希望する温泉地での温泉入浴を疑似的に体験させるための温泉入浴モードを有しており、該温泉入浴モードでは、後述する如く、風呂運転に係る制御処理を実行すると共に、空調装置３の所要の運転を行わせる指令を空調制御装置３２に送信する。
【００２６】
リモコン１２，１３のうち、リモコン１２は、浴室ＢＲに設置されるリモコン、リモコン１３は、浴室ＢＲ以外の箇所、例えば台所に設置されるリモコンである。以降、リモコン１２を浴室リモコン１２、リモコン１３を台所リモコン１３という。
【００２７】
浴室リモコン１２は、本実施形態では、例えば図２に示す如く構成されている。すなわち、浴室リモコン１２は、該浴室リモコン１２の動作に関する制御処理を実行可能なリモコン制御部１２ａと、複数の操作スイッチにより構成される操作部１２ｂと、種々の情報を表示する表示部１２ｃと、音声、警報音、メロディ等の種々の音響情報を出力する発音部１２ｄと、浴室ＢＲの室温を検出する温度センサ１２ｅと、浴室ＢＲの湿度を検出する湿度センサ１２ｆとを備える。
【００２８】
表示部１２ｃは、液晶表示器、ＬＥＤ表示器等により構成され、発音部１２ｄは、スピーカ等により構成される。
【００２９】
リモコン制御部１２ａは、マイコン、メモリ、インターフェース回路等を含む電子回路ユニットにより構成される。そして、リモコン制御部１２ａは、実装されたハードウェア構成及びプログラム（ソフトウェア構成）によって実現される機能として、操作部１２ｂから入力される操作信号に基づいて該操作部１２ｂの操作を認識する機能、温度センサ１２ｅ及び湿度センサ１２ｆのそれぞれから入力される検出信号に基づいて、浴室ＢＲの実際の室温及び湿度の検出値をそれぞれを認識する機能、表示部１２ｃ及び発音部１２ｄのそれぞれの動作を制御する機能、風呂給湯制御装置１１及び台所リモコン１３のそれぞれと通信を行う機能、種々の演算処理を実行する機能等を有する。
【００３０】
なお、本実施形態では、温度センサ１２ｅ及び湿度センサ１２ｆによりそれぞれ検出される浴室ＢＲの室温及び湿度の両方が本発明における浴室内環境状態量に相当する。
【００３１】
台所リモコン１３は、本実施形態では、例えば図３に示す如く構成されている。すなわち、台所リモコン１３は、その動作に関する制御処理を実行可能なリモコン制御部１３ａと、複数の操作スイッチにより構成される操作部１３ｂと、種々の情報を表示する表示部１３ｃと、音声、警報音、メロディ等の種々の音響情報を出力する発音部１３ｄと、Wi-Fi（登録商標）もしくはBluetooth（登録商標）等の無線通信方式で外部との無線通信を行う通信部１３ｅとを備える。
【００３２】
表示部１３ｃは、液晶表示器、ＬＥＤ表示器等により構成され、発音部１３ｄは、スピーカ等により構成される。
【００３３】
通信部１３ｅは、本実施形態では、インターネット、公衆通信網等により構成される外部ネットワークＮＷ（広域ネットワーク）に接続し得るように住戸Ｈに設置されたルータ２０と無線通信を行うことが可能である共に、該ルータ２０を介して外部ネットワークＮＷ側と通信を行うことが可能である。さらに、通信部１３ｅは、住戸Ｈのユーザが使用するスマートフォン等の通信端末２２と、ルータ２０を介して、あるいは、外部ネットワークＮＷ及びルータ２０を介して、あるいは、直接的に通信を行うことも可能である。
【００３４】
この場合、通信端末２２としては、スマートフォン以外に、フィーチャーフォン、タブレット端末、パソコン等も利用し得る。また、通信端末２２とルータ２０との間の通信、あるいは、ルータ２０と外部ネットワークＮＷとの間の通信は、無線通信及び有線通信のいずれでもよい。
【００３５】
なお、通信部１３ｅは、ＬＡＮケーブル等を介してルータ２０もしくは通信端末２２と有線通信を行い得るように構成されていてもよい。また、通信部１３ｅは、ルータとしての機能を併せもつように構成されていてもよい。この場合には、ルータ２０は不要である。
【００３６】
ここで、上記通信端末２２に関して補足すると、本実施形態では、通信部１３ｅと通信を行い得る通信端末２２は、所定のサービスアプリケーションがあらかじめインストールされており、さらに該サービスアプリケーションを起動した状態にて、通信部１３ｅとの通信接続を確立し得るように、初期設定がなされた通信端末である。
【００３７】
そして、通信端末２２と通信部１３ｅとの通信接続が確立された状態では、通信端末２２は、その操作に応じて風呂給湯装置２の運転操作を行ったり、外部の所定のサーバ２４から取得した後述の温泉地情報を通信部１３ｅを介して台所リモコン１３のリモコン制御部１３ａに送信することが可能である。
【００３８】
また、通信端末２２は、インストールされたサービスアプリケーションが起動されている状態では、外部の所定のサーバ２４に外部ネットワークＮＷを介してアクセスして、該サーバ２４から種々の温泉地に関する情報である温泉地情報を取得することが可能である。
【００３９】
上記サーバ２４は、多数の温泉地に関する温泉地情報を記憶保持しており、通信端末２２等からの要求に応じて、保有する温泉地のリスト情報や、指定された任意の温泉地に関する温泉地情報を送信し得るように構成されている。
【００４０】
この場合、サーバ２４が提供する温泉地情報には、各温泉地の所在地を示す情報、各温泉地の代表的な浴場の温泉成分を示す情報（又は該温泉成分に適合する代表的な入浴剤の種類情報）、各温泉地の代表的な浴場の湯温を示す情報、各温泉地の現状の実際の気温、湿度及び風速を示す情報（以降、実環境情報という）、各温泉地の現状の代表的な景色を示す映像情報、各温泉地の代表的な浴場で聞こえ得る音を示す音響情報等が含まれる。この場合、実環境情報、映像情報、音響情報は、定期的に（例えば所定時間毎に）、更新される。
【００４１】
なお、温泉地情報を提供するサーバ２４は、複数のサーバ２４であってもよい。例えば、温泉地情報のうちの実環境状況を提供するサーバと、該実環境情報以外の温泉地情報を提供するサーバとは各別のサーバであってもよい。また、映像情報及び音響情報の更新の間隔は、季節毎、月毎等、実環境情報の更新の間隔よりも長期のスパンであってもよい。
【００４２】
台所リモコン１３のリモコン制御部１３ａは、マイコン、メモリ、インターフェース回路等を含む電子回路ユニットにより構成される。そして、リモコン制御部１３ａは、実装されたハードウェア構成及びプログラム（ソフトウェア構成）によって実現される機能として、操作部１３ｂから入力される操作信号に基づいて該操作部１３ｂの操作状態を認識する機能、表示部１３ｃ及び発音部１３ｄのそれぞれの動作を制御する機能、風呂給湯制御装置１１及び浴室リモコン１２のそれぞれと通信を行う機能、通信部１３ｅを介して外部との通信を行う機能、種々の演算処理を実行する機能等を有する。
【００４３】
この場合、リモコン制御部１３ａは、通信部１３ｅと通信端末２２との通信接続が確立された状態では、サーバ２４から通信端末２２が取得した温泉地情報を、該通信端末２２から通信部１３ｅを介して受信したり、該通信端末２２から風呂給湯装置２の運転に関する指令情報を通信部１３ｅを介して受信することが可能である。
【００４４】
また、通信部１３ｅが外部ネットワークＮＷ側と通信を行い得る状態では、リモコン制御部１３ａは、通信端末２２と同様に外部ネットワークＮＷを介して前記サーバ２４にアクセスして、該サーバ２４から温泉地情報を取得することも可能である。
【００４５】
なお、通信部１３ｅと同様の通信部を浴室リモコン１２に搭載してもよい。そして、該浴室リモコン１２のリモコン制御部１２ａが該通信部を介して通信端末２２あるいは外部ネットワークＮＷ側のサーバ２４と通信し得るようにしてもよい。
【００４６】
本実施形態では、浴室システム１の構成要素としての風呂給湯装置２は上記の如く構成されている。
【００４７】
次に、空調装置３は、本実施形態では、浴室ＢＲ内の空調に係る運転として、浴室ＢＲ内の暖房を行う暖房運転、浴室ＢＲ内の冷房を行う冷房運転、浴室ＢＲの除湿を行う除湿運転、浴室ＢＲの換気を行う換気運転、浴室ＢＲへの外気の送風を行う送風運転、浴室ＢＲへのミスト噴霧を行うミスト運転等を実行可能な空調装置である。該空調装置３は、浴室ＢＲの天井部に設置される空調本体部３０及びミスト噴霧器３１と、空調本体部３０の作動制御等を行う機能を有する制御装置３２（以降、空調制御装置３２という）と、空調装置３の図示を省略する運転操作用のリモコン（以降、空調リモコンという）とを備える。なお、空調本体部３０及びミスト噴霧器３１のそれぞれは、浴室ＢＲの壁に設置されていてもよい。
【００４８】
図示は省略するが、空調本体部３０には、上記の各運転を実現するために、ヒートポンプユニット、ミスト噴霧器３１に湯水を供給する給水装置、送風機、風路切換用のダンパー等が搭載されている。
【００４９】
空調制御装置３２は、マイコン、メモリ、インターフェース回路等を含む電子回路ユニットにより構成され、空調本体部３０に搭載されている。そして、空調制御装置３２は、実装されたハードウェア構成及びプログラム（ソフトウェア構成）により実現される機能として、空調リモコン及び前記風呂給湯制御装置１１のそれぞれとの通信を行う機能、空調リモコンの操作に応じて該空調リモコンから与えられる運転指令、あるいは、前記風呂給湯制御装置１１との通信により該風呂給湯制御装置１１から与えられる運転指令に応じて空調装置３の運転に係る空調本体部３０の作動制御（空調本体部３０に搭載されている種々の制御機器の作動制御）を行う機能等を有する。
【００５０】
なお、空調装置３の空調本体部３０は、ミスト噴霧器３１に供給する湯水、あるいは暖房用の温水が、風呂給湯装置２の熱源機１０から供給されるように構成されていてもよい。また、空調装置３は、ミスト運転の代わりに、又はミスト運転に加えて、加湿した空気を浴室ＢＲに送風する加湿運転を行い得るように構成されていてもよい。
【００５１】
また、空調本体部３０には、浴室ＢＲ内に室温を検出する温度センサと、浴室ＢＲ内の湿度を検出する湿度センサとのうちの一方又は両方が搭載されていてもよい。その場合には、浴室リモコン１２に備えた前記温度センサ１２ｅ及び湿度センサ１２ｆの一方又は両方を省略し得る。
【００５２】
また、空調制御装置３２及び浴室リモコン１２を、例えば、Wi-Fi（登録商標）もしくはBluetooth（登録商標）等の無線通信方式で相互に通信し得るように構成してもよい。この場合、浴室リモコン１２に空調リモコンの機能を付加したり、風呂給湯制御装置１１と空調制御装置３２との間の通信を浴室リモコン１２を介して行うようにしてもよい。
【００５３】
補足すると、本実施形態では、本発明における温泉地指定情報取得部及び実環境情報取得部は、風呂給湯制御装置１１及びリモコン制御部１２ａ，１３ａの全体の機能により実現される。また、本実施形態では、空調制御装置３２が、本発明における制御部としての機能を有するものである。
【００５４】
次に、以上説明した構成を有する浴室システム１の作動（特に、温泉入浴モードでの作動）を説明する。
【００５５】
本実施形態では、住戸Ｈで入浴しようとするユーザが、浴室リモコン１２又は台所リモコン１３の所定の操作（操作部１２ｂ又は１３ｂの操作）を行うことで、リモコン制御部１２ａ又は１２ｂから風呂給湯制御装置１１に温泉入浴モードの起動指令が与えられる。そして、これに応じて風呂給湯制御装置１１の温泉入浴モードが起動する。
【００５６】
あるいは、上記ユーザが通信端末２２のサービスアプリケーションを起動した状態で、該通信端末２２の所定の操作を行うことで、該通信端末２２から、台所リモコン１３の通信部１３ｅ及びリモコン制御部１３ａを介して風呂給湯制御装置１１に温泉入浴モードの起動指令が与えられる。そして、これに応じて風呂給湯制御装置１１の温泉入浴モードが起動する。
【００５７】
次に、ユーザは、浴室リモコン１２又は台所リモコン１３で、あるいは、通信端末２２で、所望の温泉地を風呂給湯制御装置１１に対して指定するための操作（以降、温泉地指定操作という）を行う。
【００５８】
この場合、浴室リモコン１２又は台所リモコン１３での温泉地指定操作は、例えば次のように行われる。すなわち、ユーザは、まず、指定可能な温泉地の候補のリストを浴室リモコン１２又は台所リモコン１３で表示させるための所定の操作を、該浴室リモコン１２又は台所リモコン１３の操作部１２ｂ又は１３ｂで実行する。
【００５９】
この操作を示す信号が、リモコン制御部１２ａ又は１３ａから風呂給湯制御装置１１に与えられる。このとき、風呂給湯制御装置１１が、通信部１３ｅを備えるリモコンとしての台所リモコン１３のリモコン制御部１３ａに、温泉地の候補のリストの取得を指令する。
【００６０】
これに応じて、該リモコン制御部１３ａは、通信部１３ｅ及び外部ネットワークＮＷを介してサーバ２４にアクセスし、該サーバ２４から温泉地の候補のリストを取得（受信）する。そして、該リストが浴室リモコン１２及び台所リモコン１３のうち、当該リストの表示の要求操作が行われたリモコン１２又は１３の表示部１２ｃ又は１３ｃで表示され、あるいは、両方のリモコン１２，１３の表示部１２ｃ，１３ｃで表示される。
【００６１】
次いで、ユーザは、表示されたリストの中から、所望の温泉地を選択して、該温泉地を風呂給湯制御装置１１に対して指定するための所定の操作を、浴室リモコン１２及び台所リモコン１３のうち、前記リストが表示されたリモコン１２又は１３の操作部１２ｂ又は１３ｂで実行する。
【００６２】
この操作により指定された温泉地を示す温泉地指定情報（温泉地の名称、識別コード等）が、当該操作が行われたリモコン１２又は１３のリモコン制御部１２ａ又は１３ａから風呂給湯制御装置１１に与えられる。これにより、ユーザの所望の温泉地が、風呂給湯制御装置１１に対して指定される。
【００６３】
また、通信端末２２での温泉地指定操作は、例えば次のように行われる。すなわち、ユーザは、まず、指定可能な温泉地の候補のリストを通信端末２２で表示させるための所定の操作を、該通信端末２２（サービスアプリケーションが起動された状態の通信端末２２）で実行する。
【００６４】
このとき、通信端末２２は、外部ネットワークＮＷを介してサーバ２４にアクセスし、該サーバ２４から温泉地の候補のリストを取得（受信）する。そして、該リストが通信端末２２で表示される。
【００６５】
次いで、ユーザは、表示されたリストの中から、所望の温泉地を選択して、該温泉地を風呂給湯制御装置１１に対して指定するための所定の操作を、通信端末２２で実行する。この操作に応じて、通信端末２２は、指定された温泉地を示す温泉地指定情報（温泉地の名称、識別コード等）を台所リモコン１３の通信部１３ｅに送信する。そして、該温泉地指定情報は、通信部１３ｅからリモコン制御部１３ａを介して風呂給湯制御装置１１に与えられる。これにより、ユーザの所望の温泉地が、風呂給湯制御装置１１に対して指定される。
【００６６】
なお、ユーザが所望する温泉地が、温泉入浴モードの起動前等に既に確定している場合には、ユーザが該温泉地を示す情報（温泉地指定情報）を浴室リモコン１２又は台所リモコン１３又は通信端末２２で直接的に入力することで、該温泉地を風呂給湯制御装置１１に対して指定し得るようにしてもよい。
【００６７】
上記の如くユーザの所望の温泉地が指定された後、風呂給湯制御装置１１は、以下に説明する制御処理を実行する。
【００６８】
まず、風呂給湯制御装置１１は、台所リモコン１３のリモコン制御部１３ａに、指定された温泉地に関する温泉地情報を取得することを指令する。これに応じて、リモコン制御部１３ａは、通信部１３ｅ及び外部ネットワークＮＷを介してサーバ２４から温泉地情報（指定された温泉地に関する温泉地情報）を取得し、該温泉地情報を風呂給湯制御装置１１に転送する。
【００６９】
あるいは、リモコン制御部１３ａは、通信部１３ｅを介して通信端末２２に、温泉地情報の取得を指令する。このとき、通信端末２２は、外部ネットワークＮＷを介してサーバ２４から温泉地情報（指定された温泉地に関する温泉地情報）を取得し、該温泉地情報を通信部１３ｅを介してリモコン制御部１３ａに転送する。該温泉地情報は、さらに、リモコン制御部１３ａから風呂給湯制御装置１１に転送される。
【００７０】
ここで、台所リモコン１３のリモコン制御部１３ａが上記の如くサーバ２４から取得した温泉地情報に含まれる前記実環境情報（気温、湿度、風速）は、指定された温泉地における最新の情報である。換言すれば、リモコン制御部１３ａがサーバ２４から取得する実環境情報は、所望の温泉地を指定したユーザが浴室ＢＲで入浴しようとする当日もしくはその直前の実環境情報である。
【００７１】
次いで、風呂給湯制御装置１１は、取得した温泉地情報のうち、該温泉地の代表的な浴場の湯温を示す情報により特定される湯温を目標温度（浴槽ＢＴ内の湯の目標温度）として、風呂給湯装置２の湯はり運転を実行するように（あるいは、湯はり運転及び保温運転を順次実行するように）、熱源機１０の作動制御を実行する。
【００７２】
さらに、風呂給湯制御装置１１は、湯はり運転と並行して、取得した温泉地情報のうち、温泉地の代表的な浴場の温泉成分を示す情報により特定される種類の入浴剤を、浴槽ＢＴ内に投入すべき旨の案内情報を、浴室リモコン１２又は台所リモコン１３から報知させる。該案内情報の報知は、浴室リモコン１２又は台所リモコン１３の表示部１２ｃ又は１３ｃでの表示、あるいは、発音部１２ｄ又は１３ｄからの音声出力によりなされる。この案内情報の報知に応じて、ユーザは、指示された入浴剤を浴槽ＢＴ内に投入する。
【００７３】
なお、風呂給湯装置２が、種々の入浴剤を浴槽ＢＴ内、又は浴槽配管１７に投入し得る装置を備える場合には、該装置を制御することで、浴槽ＢＴ内、又は浴槽配管１７への所要の入浴剤の投入を行うようにしてもよい。
【００７４】
次に、湯はり運転が終了すると、風呂給湯制御装置１１は、取得した温泉地情報に含まれる映像情報を浴室ＢＲ内の映像表示器１４により表示させると共に、該温泉地情報に含まれる音響情報を浴室リモコン１２の発音部１３ｄから出力させる。
【００７５】
さらに風呂給湯制御装置１１は、取得した温泉地情報に含まれる実環境情報により示される気温、湿度、風速を、浴室ＢＲ内で実現すべき環境目標として、該環境目標を空調制御装置３２に指令する。このとき、空調制御装置３２は、浴室ＢＲ内の環境（室温、湿度、風速）を、指令された環境目標に極力近づけるように、空調装置３の運転制御を行う。
【００７６】
具体的には、空調制御装置３２は、浴室リモコン１２の温度センサ１２ｅ及び湿度センサ１２ｆにより検出される浴室ＢＲの室温及び湿度の検出値を、風呂給湯制御装置１１との通信を通じて逐次取得する。
【００７７】
そして、空調制御装置３２は、浴室ＢＲの室温の検出値が、実環境情報により示される気温よりも所定値以上、高い場合には、空調装置３の冷房運転を適宜実行するように空調本体部３０の作動制御を行い、室温の検出値が、実環境情報により示される気温よりも所定値以上、低い場合には、空調装置３の暖房運転を適宜実行するように、空調本体部３０の作動制御を行う。
【００７８】
また、空調制御装置３２は、浴室ＢＲの湿度の検出値が、実環境情報により示される湿度よりも所定値以上、高い場合には、空調装置３の除湿運転又は換気運転を適宜実行するように空調本体部３０の作動制御を行い、湿度の検出値が、実環境情報により示される湿度よりも所定値以上、低い場合には、空調装置３のミスト運転（又は加湿運転）を適宜実行するように、空調本体部３０の作動制御を行う。
【００７９】
また、空調制御装置３２は、浴室ＢＲ内の風速が、実環境情報により示される風速に一致もしくはほぼ一致する風速になるように、空調本体部３０の送風機の風量を制御する。
【００８０】
温泉入浴モードでは、以上の如く浴槽ＢＴへの湯はりが行われると共に、該浴槽ＢＴにユーザの所望の温泉地に適合する種類の入浴剤を投入することが行われる。そして、湯はり後には、映像表示器１４にユーザの所望の温泉地に対応する映像が表示されると共に、浴室リモコン１２の発音部１２ｄから、該温泉地に対応する音響情報が出力される。
【００８１】
さらに、温泉地の実環境情報により示される気温、湿度、風速を、浴室ＢＲ内で実現すべき環境目標として、浴室ＢＲ内の室温、湿度、風速が当該環境目標に近づくように空調装置３の運転が行われる。
【００８２】
これにより浴室ＢＲで入浴を行うユーザは、実際の温泉地で入浴しているような感覚で、疑似的な温泉入浴を体験することができる。特に、浴室ＢＲ内の室温、湿度、風速が、実際の温泉地での現状の気温、湿度、風速に近いものとなるため、疑似的な温泉入浴のリアル感を高めることができる。
【００８３】
なお、以上説明した実施形態では、浴室システム１の構成要素として、風呂給湯装置２を備えたが、該風呂給湯装置２の代わりに、風呂運転の機能だけを有する装置を備えてもよい。さらに、本発明の浴室システム１は、風呂運転機能を有する装置を必須の構成要件とするものではなく、風呂運転機能を有する装置は、浴室システム１とは別の装置であってもよい。
【００８４】
また、前記熱源機１０は、燃焼式の熱源機に限らず、電気式の熱源機（ヒートポンプ方式のものを含む）であってもよく、あるいは、燃焼式と電気式とを複合させた熱源機であってもよい。
【符号の説明】
【００８５】
１…浴室システム、３…空調装置、１１…風呂給湯制御装置（温泉地指定情報取得部、実環境情報取得部）、１２ａ，１３ａ…リモコン制御部（温泉地指定情報取得部、実環境情報取得部）、３２…空調制御装置（制御部）、ＢＲ…浴室。
【図１】
2019078414.tif 000003
【図２】
2019078414.tif 000004
【図３】
2019078414.tif 000005